(57)【要約】【課題】良好な光学特性が得られるレンズ鏡筒、レンズ鏡筒の製造方法及び光学機器を提供する。【解決手段】レンズ鏡筒１００は、レンズ１２１を保持する保持枠１２２と、保持枠１２２の外側に備えられたゴム２０４と、保持枠１２２をゴム２０４に向けて押し付けることにより、レンズ１２１の光軸Ｌに交差する方向に保持枠１２２を位置決めする調整ネジ１９０と、調整ネジ１９０による保持枠１２２の押し付け方向とは異なる方向に保持枠１２２を押し付け、調整ネジ１９０との間で保持枠１２２を挟んで固定する固定ネジ１９２と、を有する。【選択図】図２
2010002856.tif 000002
【特許請求の範囲】
【請求項１】
光学系を保持する保持枠と、
前記保持枠の外側に備えられた弾性体と、
前記保持枠を前記弾性体に向けて押し付けることにより、前記光学系の光軸に交差する方向に前記保持枠を位置決めする位置決め部と、
前記位置決め部による前記保持枠の押し付け方向とは異なる方向に前記保持枠を押し付け、前記位置決め部との間で前記保持枠を挟んで固定する固定部と、
を有するレンズ鏡筒。
【請求項２】
請求項１に記載されたレンズ鏡筒であって、
前記固定部は、前記位置決め部により前記弾性体に向けて押し付けられた前記保持枠の位置に前記保持枠を固定するレンズ鏡筒。
【請求項３】
請求項１又は請求項２に記載されたレンズ鏡筒であって、
前記保持枠の外周に対向して備えられた筒部材とを有し、
前記位置決め部、前記弾性体および前記固定部は、前記筒部材に備えられているレンズ鏡筒。
【請求項４】
請求項１から３までの何れか１項に記載されたレンズ鏡筒であって、
前記位置決め部および前記固定部は、前記弾性体よりも剛性が高いレンズ鏡筒。
【請求項５】
光学系を保持する保持枠と、
前記保持枠の外側に備えられた弾性体と、
前記保持枠を前記弾性体に向けて押し付けることにより、前記光学系の光軸に交差する方向に前記保持枠を位置決めする位置決め部と、
前記位置決め部に対応した部分に貫通穴を有し、前記保持枠の外周に対向して備えられた筒部材と、
を有するレンズ鏡筒。
【請求項６】
請求項５に記載されたレンズ鏡筒であって、
前記位置決め部は、前記光学系の光軸に交差する方向に沿って前進又は後退が可能であり、
前記筒部材に備えられた前記貫通穴は、前記位置決め部の前進方向又は後退方向に沿って形成された穴であるレンズ鏡筒。
【請求項７】
請求項１から３までの何れか１項に記載されたレンズ鏡筒であって、
前記位置決め部は、前記光学系の光軸に対して互いに垂直な位置に二つ配されたレンズ鏡筒。
【請求項８】
請求項７に記載されたレンズ鏡筒であって、
前記弾性体は、前記光学系の光軸に対して二つの前記位置決め部の反対側に二つ配されたレンズ鏡筒。
【請求項９】
請求項１から４までの何れか１項に記載されたレンズ鏡筒であって、
前記位置決め部および前記固定部は、外周の中心と回転の中心とが一致するネジであるレンズ鏡筒。
【請求項１０】
請求項３又は５に記載されたレンズ鏡筒であって、
前記筒部材は、前記弾性体を収容する収容部を有し、前記収容部の側面と前記弾性体の側面との間に間隙を有するレンズ鏡筒。
【請求項１１】
光学系を保持する保持枠を弾性体に向けて押し付けることにより、前記光学系の光軸に交差する方向に前記保持枠を位置決めする位置決め部と、前記位置決め部と共に前記保持枠を挟む固定部とで前記保持枠を固定するレンズ鏡筒の製造方法。
【請求項１２】
請求項１１に記載されたレンズ鏡筒の製造方法であって、
前記保持枠の外周に対向して備えられた筒部材の前記位置決め部に対応した部分に備えられた貫通穴から前記位置決め部の位置を調整するレンズ鏡筒の製造方法。
【請求項１３】
請求項１から請求項１０までの何れか１項に記載されたレンズ鏡筒を含む光学機器。
【発明の詳細な説明】
【技術分野】
【０００１】
本発明は、レンズ鏡筒、レンズ鏡筒の製造方法、及び光学機器に関する。
【背景技術】
【０００２】
レンズ鏡筒に備えられたレンズの光軸の位置を調整する方法として、レンズ保持枠の外周面に当接した複数の調整ネジをレンズの径方向に進退させて、レンズ保持枠をレンズの径方向へ変位させる方法が知られている（例えば、特許文献１参照）。
【特許文献１】特開２００４−１０９７１０号公報
【発明の開示】
【発明が解決しようとする課題】
【０００３】
本発明の課題は、良好な光学特性が得られるレンズ鏡筒、レンズ鏡筒の製造方法及び光学機器を提供することである。
【課題を解決するための手段】
【０００４】
本発明は、以下のような解決手段により前記課題を解決する。なお、理解を容易にすることを目的として、本発明の一実施例を示す図面に対応する符号を付して説明するが、これに限定されるものではない。
【０００５】
本発明の第１の形態に係るレンズ鏡筒は、光学系（１２１）を保持する保持枠（１２２）と、前記保持枠の外側に備えられた弾性体（２０４）と、前記保持枠を前記弾性体に向けて押し付けることにより、前記光学系の光軸（Ｌ）に交差する方向（９１、９２）に前記保持枠を位置決めする位置決め部（１９０）と、前記位置決め部による前記保持枠の押し付け方向とは異なる方向（９３）に前記保持枠を押し付け、前記位置決め部との間で前記保持枠を挟んで固定する固定部（１９２）と、を有する。
【０００６】
上記課題を解決するために、本発明の第２の形態に係るレンズ鏡筒の製造方法は、光学系を保持する保持枠（１２２）を弾性体（２０４）に向けて押し付けることにより、前記光学系の光軸（Ｌ）に交差する方向（９１、９２）に前記保持枠を位置決めする位置決め部（１９０）と、前記位置決め部と共に前記保持枠を挟む固定部（１９２）とで前記保持枠を固定する。
【０００７】
上記課題を解決するために、本発明の第３の形態に係る光学機器（３００）は、上記の第１の形態に係るレンズ鏡筒を含む。
【０００８】
なお、上記の発明の概要は、本発明の必要な特徴の全てを列挙したものではない。また、これらの特徴群のサブコンビネーションもまた、発明となりうる。
【発明を実施するための最良の形態】
【０００９】
以下、発明の実施の形態を通じて本発明を説明するが、以下の実施形態は特許請求の範囲にかかる発明を限定するものではない。また、実施形態の中で説明されている特徴の組み合わせの全てが発明の解決手段に必須であるとは限らない。
【００１０】
図１には、レンズ鏡筒１００を側断面図にて示している。この図に示すように、レンズ鏡筒１００は、第１レンズ群１１４、第２レンズ群１２４、第３レンズ群１３４及び第４レンズ群１４４を備える。第１レンズ群１１４、第２レンズ群１２４、第３レンズ群１３４及び第４レンズ群１４４は、それぞれ複数のレンズ１１１、１２１、１３１、１４１を備えている。レンズ１１１、１２１、１３１、１４１は、それぞれ保持枠１１２、１２２、１３２、１４２により保持されている。
【００１１】
また、レンズ鏡筒１００は、カメラボディ等の光学機器に固定される固定筒１４０と、固定筒１４０に収容されたカム筒１５０とを備えている。固定筒１４０及びカム筒１５０は、ともに光軸方向を軸方向とする円筒体であり、カム筒１５０は、固定筒１４０の内周面と光軸周りに回転自在に嵌合している。カム筒１５０の内周側には、第１レンズ群１１４、第２レンズ群１２４、第３レンズ群１３４及び第４レンズ群１４４と、保持枠１１２、１２２、１３２、１４２とが配されている。
【００１２】
保持枠１１２、１２２、１４２は、それぞれ、カム筒１５０の内周面に、光軸周りに回転自在に嵌合した円筒状の連結部材１１６、１２６、１４６に結合されている。また、保持枠１３２は、カム筒１５０の内周面に直接、光軸周りに回転自在に嵌合している。
【００１３】
ここで、連結部材１１６、１２６、１４６と保持枠１３２とにおけるカム筒１５０の内周面に当接する外周面には、それぞれカムピン１１８、１２８、１４８、１３８が結合されている。一方、カム筒１５０には、カムピン１１８、１２８、１４８、１３８がそれぞれ挿入される複数のカム溝が形成されており、カム筒１５０が光軸周りに回転することにより、カムピン１１８、１２８、１４８、１３８がカム溝から光軸方向に押され、連結部材１１６、１２６、１４６と保持枠１３２とが光軸方向に移動する。
【００１４】
また、第２レンズ群１２４の外周側には、フォーカス環１７０が配されている。このフォーカス環１７０は、光軸周りに回転自在に固定筒１４０及び第１外固定筒２００と嵌合している。また、第４レンズ群１４４の外周側には、ズーム環１８０が配されている。このズーム環１８０は、光軸周りに回転自在に第１外固定筒２００及び第２外固定筒２０１と嵌合している。
【００１５】
ここで、第２レンズ群１２４の一のレンズ１２１は、光軸Ｌの位置を調整可能な調芯レンズとされ、第４レンズ群１４４の一のレンズ１４１も、光軸Ｌの位置を調整可能な調芯レンズとされている。詳細は後述するが、調芯レンズとしてのレンズ１２１を保持する保持枠１２２の外周面には、光軸Ｌと直交する方向（以下、レンズ１２１の径方向９１、９２という）に前進又は後退可能な複数の調整ネジ１９０と、同様にレンズ１２１の径方向９３に前進又は後退可能な固定ネジ１９２とが当接されている。また、レンズ１４１を保持する保持枠１４２の外周面には、レンズ１２１の径方向に前進又は後退可能な調整ネジ１９４が当接されている。
【００１６】
カム筒１５０、固定筒１４０、及びフォーカス環１７０における、調整ネジ１９０、固定ネジ１９２にそれぞれ対応した部分、即ち、調整ネジ１９０、固定ネジ１９２とレンズ１２１の軸線の延長線上には、工具アクセス穴１５３、１４３、１７３が形成されている。また、カム筒１５０、固定筒１４０、及びフォーカス環１７０における、調整ネジ１９４に対応した部分、即ち、調整ネジ１９４の軸線の延長線上には、工具アクセス穴１５５、１４５、１８５が形成されている。
【００１７】
工具アクセス穴１５３、１４３、１７３と、工具アクセス穴１５５、１４５、１８５とには、調整ネジ１９０、及び固定ネジ１９２を回す工具（本実施形態では、レンチ）が挿通される。また、フォーカス環１７０には、工具アクセス穴１５３、１４３、１７３を塞ぐゴムリング１６０が着脱可能に装着され、ズーム環１８０には、工具アクセス穴１５５、１４５、１８５を塞ぐゴムリング１６２が着脱可能に装着されている。
【００１８】
図２には、図１の２−２断面図を示している。この図に示すように、レンズ１２１を保持する保持枠１２２は、光軸方向に見て円環状に形成され、連結部材１２６は、光軸方向に見て円環状に形成されている。保持枠１２２は、連結部材１２６の内周側に配され、保持枠１２２の外径は、連結部材１２６の内径より小さくなっており、保持枠１２２の外周面と連結部材１２６の内周面とは、隙間を介して径方向に対向している。
【００１９】
連結部材１２６には、レンズ１２１の径方向９１、９２に延びる２個のネジ穴１９６と、径方向９３に延びる１個のネジ穴１９８が形成されている。２個のネジ穴１９６は、光軸Ｌと直交する対称中心線に対して左右対称に配され、且つ、互いに光軸周りに約９０度の間隔で配されている。また、ネジ穴１９８は、２個のネジ穴１９６の対称中心線上、且つ、２個のネジ穴１９６に対して光軸Ｌを挟んだ反対側に配されている。なお、ネジ穴１９８とネジ穴１９６とは、光軸周りに約１３５度の間隔で配されている。
【００２０】
調整ネジ１９０及び固定ネジ１９２には、レンチが嵌め込まれる嵌合穴１９１が形成されている。ここで、調整ネジ１９０及び固定ネジ１９２の軸心とネジ穴１９６、１９８の中心とは一致している。即ち、調整ネジ１９０、固定ネジ１９２の軸心と回転中心とは一致している。このため、調整ネジ１９０及び固定ネジ１９２の嵌合穴１９１にレンチを嵌合させて回転させると、調整ネジ１９０及び固定ネジ１９２が軸心に沿って、即ち、レンズ１２１の径方向に沿って直線移動する。また、調整ネジ１９０及び固定ネジ１９２を回転させても、連結部材１２６は、保持枠１２２等の他の部材に対して周方向には回動しない。
【００２１】
また、連結部材１２６には、２個の凹部２０２が形成されている。２個の凹部２０２は、光軸方向に見て矩形状をしており、一の凹部２０２は、一のネジ穴１９６の軸線の延長線上、且つ、当該ネジ穴１９６に対して光軸Ｌを挟んだ反対側に配され、他の一の凹部２０２は、他の一のネジ穴１９６の軸線の延長線上、且つ、当該ネジ穴１９６に対して光軸Ｌを挟んだ反対側に配されている。
【００２２】
また、凹部２０２には、弾性を有する矩形体状のゴム２０４が収容されている。即ち、２個のゴム２０４が、２個の調整ネジ１９０と、光軸Ｌを通る対称中心線に対して左右対称に配されている。ここで、ゴム２０４は、連結部材１２６の内周面から内径側に突出しており、調整ネジ１９０の先端部を、保持枠１２２の外周面に当接させた状態では、保持枠１２２がゴム２０４により調整ネジ１９０の先端部に押し付けられる。
【００２３】
これにより、保持枠１２２がレンズ１２１の径方向９１、９２に位置決めされるので、調整ネジ１９０をレンズ１２１の径方向に進退させることにより、レンズ保持枠１２２の位置をレンズ１２１の径方向に調整でき、レンズ１２１の光軸Ｌの位置を径方向に調整できる。なお、調整ネジ１９０及び固定ネジ１９２の剛性は、ゴム２０４より高くなっており、調整ネジ１９０及び固定ネジ１９２は撓むことなく、ゴム２０４が弾性圧縮変形する。
【００２４】
ここで、保持枠１２２が、ゴム２０４により調整ネジ１９０の先端部に押し付けられるので、調整ネジ１９０の先端部を保持枠１２２の外周面に確実に当接させることができ、調整ネジ１９０がレンズ１２１の径方向に進退する量と、保持枠１２２がレンズ１２１の径方向に変位する量とを確実に一致させることができる。従って、作業者は、操作感覚に頼らずに、調整ネジ１９０の進退量だけを頼りに調整できるので、作業者の熟練度の差による調整誤差を抑制できる。
【００２５】
また、凹部２０２におけるゴム２０４を挟んで対向する一対の側壁２０３と、ゴム２０４における当該側壁２０３と対向する側面２０５との間には、隙間が空けられている。これにより、ゴム２０４の弾性圧縮変形に伴う圧縮方向と直交する方向への弾性変形が阻害されないことから、ゴム２０４の弾性圧縮変形が阻害されない。よって、保持枠１２２の径方向への変位が、ゴム２０４により阻害されることを防止でき、光軸Ｌの位置調整の自由度を十分に確保できる。
【００２６】
また、固定ネジ１９２が、一対の調整ネジ１９０の対称中心線上、且つ、一対の調整ネジ１９０に対して光軸Ｌを挟んだ反対側において、保持枠１２２の外周面に当接することにより、保持枠１２２が、調整ネジ１９０からゴム２０４に押し付けられた位置において、調整ネジ１９０と固定ネジ１９２とにより固定保持される。これにより、保持枠１２２の保持強度を、レンズ鏡筒１００に加わる衝撃に対して十分な強さにまで高めることができ、調整された光軸Ｌの位置ずれを抑制できる。
【００２７】
また、上記のゴムリング１６０をフォーカス環１７０から取り外して工具アクセス穴１５３、１４３、１７３にレンチを挿通することにより、調整ネジ１９０及び固定ネジ１９２をレンズ１２１の径方向へ進退させることができる。これにより、レンズ鏡筒１００を組み立てた状態で、光軸Ｌの調整、及び、光軸Ｌの調整後における固定ネジ１９２による保持枠１２２の固定を実施できる。
【００２８】
また、一対の調整ネジ１９０を、光軸回りに約９０°ずらして配すと共に、ゴム２０４を、各調整ネジ１９０に対して光軸Ｌを挟んで対向するように配したことにより、光軸Ｌの位置を、一方の調整ネジ１９０の軸方向に調整している間に、他方の調整ネジ１９０の軸方向についての位置は一定に維持される。よって、光軸Ｌの位置調整を、互いに直交する一方向と他方向とについて独立に実施できるので、調整作業を容易化できる。また、固定ネジ１９２を退避させた状態で、一対のゴム２０４の弾性力を利用してこれらに対向する一対の調整ネジ１９０で光軸Lを調整して、その後に固定ネジ１９２を進出されて固定をするので、作業が容易であるともに、作業後に調整ネジ１９０および固定ネジ１９２で強固に位置を保持することができる。
【００２９】
調整ネジ１９０及び固定ネジ１９２における軸心と、回転中心とを一致させ、調整ネジ１９０及び固定ネジ１９２がレンズ１２１の径方向に直進するように構成したことにより、保持枠１２２に光軸周りの変位を生じさせずに、光軸Ｌの位置調整をすることができる。よって、光軸Ｌの調整作業を容易化できる。
【００３０】
図３には、図２の３−３断面図を示している。この図に示すように、保持枠１２２は、調整ネジ１９０、固定ネジ１９２、及びゴム２０４と共に保持部２１０により保持されている。保持部２１０は、連結部材１２６の内周面に固定され、保持枠１２２の周縁部と光軸方向に対向して配された円環状の押え部材２１２と、連結部材１２６の内周面に固定され、保持枠１２２の周縁部を挟んで押え部材２１２と対向して配された複数のボール支持部２１４とを備えている。複数のボール支持部２１４は、光軸周りに所定間隔おきに配されている。
【００３１】
また、保持部２１０は、押え部材２１２と保持枠１２２の周縁部とに挟まれるウェーブワッシャ２１６と、ボール支持部２１４の各々に支持されるボール２１８とを備えている。押え部材２１２における保持枠１２２側には、内周側が凹の段差部２１３が形成されており、この段差部２１３にウェーブワッシャ２１６が嵌め込まれている。また、ボール支持部２１４は、光軸周りに見てコ字状の部材であり、保持枠１２２側に凹部２１５が形成されている。ボール２１８は、この凹部２１５に配されている。
【００３２】
ウェーブワッシャ２１６が、保持枠１２２の周縁部における光軸方向の一方側に当接すると共に、ボール２１８が、保持枠１２２の周縁部における光軸方向の他方側に当接している。即ち、押え部材２１２が、ウェーブワッシャ２１６を介して保持枠１２２の周縁部をボール２１８に押圧しており、保持枠１２２に対して、光軸周りに所定間隔おきに光軸方向の保持力が作用している。よって、保持枠１２２が、レンズ１２１の径方向に対して傾斜することを抑制できる。
【００３３】
図４には、レンズ鏡筒１００を備えた撮像装置３００の構造を模式的に示している。この図に示すように、レンズ鏡筒１００は、マウント部２６０を介して、撮像部４００に対して着脱自在に装着される。なお、撮像装置３００において、レンズ鏡筒１００および撮像部４００は、図示していない接続端子を介して電気的にも結合される。これにより、レンズ鏡筒１００は、撮像部４００から電力を供給される。また、レンズ鏡筒１００の副制御部２２０および撮像部４００の主制御部２５０は相互に情報を交換する。
【００３４】
撮像部４００は、主鏡２４０、ペンタプリズム２７０、接眼光学系２９０を含む光学系と、主制御部２５０とを収容する。主鏡２４０は、レンズ鏡筒１００の第１レンズ群１１４、第２レンズ群１２４、第３レンズ群１３４、及び第４レンズ群１４４を通過して入射した入射光の光路上に傾斜して配置される待機位置と、入射光を避けて上昇する撮影位置（図中に点線で示す）との間を移動する。
【００３５】
待機位置にある主鏡２４０は、入射光の大半を、上方に配置されたフォーカシングスクリーン２７２に導く。フォーカシングスクリーン２７２は、レンズ鏡筒１００の各レンズ群の合焦位置に配置され、当該レンズ群により形成された画像を結像させる。
【００３６】
フォーカシングスクリーン２７２に結像された画像は、ペンタプリズム２７０を介して接眼光学系２９０から観察される。これにより、接眼光学系２９０からは、フォーカシングスクリーン２７２上の映像を正像として見ることができる。
【００３７】
ペンタプリズム２７０および接眼光学系２９０の間には、ファインダＬＣＤ２９４に形成された表示画像を、フォーカシングスクリーン２７２の映像に重畳させるハーフミラー２９２が配置される。これにより、接眼光学系２９０の出射端においては、フォーカシングスクリーン２７２の映像と、ファインダＬＣＤ２９４の映像とを併せて見ることができる。なお、ファインダＬＣＤ２９４には、撮像装置３００の撮影条件、設定条件等の情報が表示される。
【００３８】
また、ペンタプリズム２７０の出射光の一部は、測光部２８０に導かれる。測光部２８０は、入射光の強度およびその分布等を測定して、撮影条件を決定する場合に測定結果を参照させる。
【００３９】
一方、入射光の入射面に対する主鏡２４０の裏面には、副鏡２４２が配置される。副鏡２４２は、主鏡２４０を透過した入射光の一部を、下方に配置された測距部２３０に導く。これにより、主鏡２４０が待機位置にある場合は、測距部２３０が被写体までの距離を測定する。なお、主鏡２４０が撮影位置に移動した場合は、副鏡２４２も入射光の光路から退避する。
【００４０】
レンズ鏡筒１００からの入射光に対して主鏡２４０の後方には、シャッタ３２０、光学フィルタ３１２および撮像素子３１０が順次配置される。シャッタ３２０が開放される場合は、その直前に主鏡２４０が撮影位置に移動するので、入射光は直進して撮像素子３１０に入射される。これにより、入射光の形成する画像が、撮像素子３１０において電気信号に変換される。
【００４１】
また、撮像部４００は、レンズ鏡筒１００に対して背面において、外部に面したメインＬＣＤ２９６を備える。メインＬＣＤ２９６は、撮像部４００に対する各種の設定情報を表示する他、主鏡２４０が撮影位置に移動している場合に撮像素子３１０に形成された画像を表示することもできる。
【００４２】
主制御部２５０は、上記のような種々の動作を総合的に制御する。また、撮像部４００側の測距部２３０が検出した被写体までの距離の情報を参照して、レンズ鏡筒１００を駆動するオートフォーカス機構を形成できる。更に、測距部２３０がレンズ鏡筒１００の動作量を参照して、フォーカスエイド機構を形成することもできる。
【００４３】
更に、主制御部２５０は、レンズ鏡筒１００の副制御部２２０と情報を交換して、絞り部２６２の開閉等も制御する。更に、主制御部２５０は、露出の自動化、シーンモードの実行、ブラケット撮影の実行等にも寄与する。
【００４４】
こうして、レンズ鏡筒１００と、第１レンズ群１１４、第２レンズ群１２４および第３レンズ群１３４及び第４レンズ群１４４による像を撮影する撮像部４００とを有する撮像装置３００が形成される。このように、レンズ鏡筒１００は、撮像装置３００において好適に使用できる。しかしながら、レンズ鏡筒１００の用途がこれに限られるわけではなく、例えば、動画撮影機、双眼鏡、顕微鏡、測量器等の光学系において、合焦機構、ズーム機構等に使用できる。
【００４５】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【００４６】
例えば、上記の実施形態では、調整ネジ１９０及び固定ネジ１９２を、レンズ１２１の径方向、即ち、光軸Ｌと直交する方向に進退可能に構成した。しかし、これは必須ではなく、調整ネジ１９０及び固定ネジ１９２を、レンズ１２１の径方向に対して傾斜した方向に進退可能、即ち、光軸Ｌに対して傾斜した方向に進退可能に構成してもよい。また、上記の実施形態では、固定ネジ１９２により、一対の調整ネジ１９０の対称中心線に沿って、保持枠１２２を調整ネジ１９０に押し付けた。しかし、これは必須ではなく、固定ネジ１９２により、当該対称中心線に対して傾斜した方向に沿って、保持枠１２２を調整ネジ１９０に押し付けてもよい。また、上記の実施形態では、ゴム２０４は周方向に２箇所配されるが、これに代えて、図２における固定ネジ１９２が配されている個所の近傍に１箇所配されてもよい。この場合に、固定ネジ１９２は、光軸に対して調整ネジ１９０に対向した位置に配されてもよい。
【図面の簡単な説明】
【００４７】
【図１】レンズ鏡筒１００を側断面図にて示す。
【図２】図１の２−２断面図を示す。
【図３】図２の３−３断面図を示す。
【図４】レンズ鏡筒１００を備える撮像装置３００を側断面図にて模式的に示す。
【符号の説明】
【００４８】
１００  レンズ鏡筒、１１１  レンズ、１１２  保持枠、１１４  第１レンズ群、１１６  連結部材、１１８  カムピン、１２１  レンズ、１２２  保持枠、１２４  第２レンズ群、１２６  連結部材、１２８  カムピン、１３１  レンズ、１３２  保持枠、１３４  第３レンズ群、１３８  カムピン、１４０  固定筒、１４１  レンズ、１４２  保持枠、１４３  工具アクセス穴、１４４  第４レンズ群、１４５  工具アクセス穴、１４６  連結部材、１４８  カムピン、１５０  カム筒、１５３  工具アクセス穴、１５５  工具アクセス穴、１６０  ゴムリング、１６２  ゴムリング、１７０  フォーカス環、１７３  工具アクセス穴、１８０  ズーム環、１８５  工具アクセス穴、１９０  調整ネジ、１９１  嵌合穴、１９２  固定ネジ、１９４  調整ネジ、１９６  ネジ穴、１９８  ネジ穴、２００  第１外固定筒、２０１  第２外固定筒、２０２  凹部、２０３  側壁、２０４  ゴム、２０５  側面、２１０  保持部、２１２  押え部材、２１３  段差部、２１４  ボール支持部、２１５  凹部、２１６  ウェーブワッシャ、２１８  ボール、２２０  副制御部、２３０  測距部、２４０  主鏡、２４２  副鏡、２５０  主制御部、２６０  マウント部、２６２  絞り部、２７０  ペンタプリズム、２７２  フォーカシングスクリーン、２８０  測光部、２９０  接眼光学系、２９２  ハーフミラー、２９４  ファインダＬＣＤ、２９６  メインＬＣＤ、３００  撮像装置、３１０  撮像素子、３１２  光学フィルタ、３２０  シャッタ、４００  撮像部
【図１】
2010002856.tif 000003
【図２】
2010002856.tif 000004
【図３】
2010002856.tif 000005
【図４】
2010002856.tif 000006